(57)【要約】【課題】環境問題に配慮してフィルムを剥がす等の分別の手間を省くことが可能な衛生用紙入りフィルムレスカートンを提供する。【解決手段】衛生用紙２２を取り出すための外箱開口部３と内部に収容部とを有した紙製の略直方体形状の外箱１と、外箱１の収容部に収容された、折り畳んで交互に重ね合わされた衛生用紙２１と、外箱１の収容部に衛生用紙２２の上面を覆うようにして収容され、衛生用紙２２を取り出すための中敷開口部１３と少なくとも外箱１の長辺方向３０の両端において折り曲げ部１４とを有した中敷１１と、を含み、中敷１１は折り曲げ部１４により、折り畳んで交互に重ね合わされた衛生用紙２１における外箱１の長辺方向３０の両端を挟持してなる衛生用紙入りフィルムレスカートン５０である。【選択図】図１２
2008239155.tif 000002
【特許請求の範囲】
【請求項１】
衛生用紙を取り出すための外箱開口部を少なくとも片面に有し、内部に収容部を有した紙製の略直方体形状の外箱と、
前記外箱の前記収容部に収容された、折り畳んで交互に重ね合わされた前記衛生用紙と、
前記外箱の前記収容部に前記衛生用紙の前記外箱開口部に面した表面を覆うようにして収容され、前記衛生用紙を取り出すための中敷開口部を有した中敷と、を含み、
前記中敷の裏面の少なくとも一部において表面の平滑化処理が施されてなる衛生用紙入りフィルムレスカートン。
【請求項２】
衛生用紙を取り出すための外箱開口部を少なくとも片面に有し、内部に収容部を有した紙製の略直方体形状の外箱と、
前記外箱の前記収容部に収容された、折り畳んで交互に重ね合わされた前記衛生用紙と、
前記外箱の前記収容部に前記衛生用紙の前記外箱開口部に面した表面を覆うようにして収容され、前記衛生用紙を取り出すための中敷開口部と少なくとも前記外箱の長辺方向の両端において折り曲げ部とを有した中敷と、を含み、
前記中敷は前記折り曲げ部により、折り畳んで交互に重ね合わされた前記衛生用紙における前記外箱の長辺方向の両端を挟持してなる衛生用紙入りフィルムレスカートン。
【請求項３】
前記中敷の裏面の少なくとも一部において表面の平滑化処理が施されてなる請求項２に記載の衛生用紙入りフィルムレスカートン。
【請求項４】
前記折り曲げ部の前記外箱の長辺方向の長さが、前記外箱の高さに対して、１０％〜５０％の範囲である請求項２または３に記載の衛生用紙入りフィルムレスカートン。
【請求項５】
前記外箱開口部の、前記外箱の短辺方向の最大幅が、前記中敷開口部の、前記外箱の短辺方向の最大幅より広く設けられた請求項１〜４のいずれか一項に記載の衛生用紙入りフィルムレスカートン。
【発明の詳細な説明】
【技術分野】
【０００１】
本発明は、衛生用紙の取り出し口にフィルムを使用することなく、環境問題に配慮して空箱廃棄時にフィルムを剥がす等の分別の手間を省くことが可能であり、しかも衛生用紙の取出しが容易な、主にティシュペーパーや保湿ティシュペーパー等の衛生用紙入りフィルムレスカートンに関するものである。
【背景技術】
【０００２】
家庭やオフィス等で広く使われているティシュペーパーや、保湿ティシュペーパー等の衛生用紙を収納したカートンは、一般に、概ね直方体の箱の一面（通常は箱の上面）に、ティシュペーパーを取出すための取出口を設けた構造を有するものである。使用者は、箱の一面に設けられている所定形状のミシン目状切込線に沿って切取片を切り離し、細長い取出口（開口部）を形成し、そこからティシュペーパーを取出す。そして、通常、その取出口の内面には、取出口を被覆するポリエチレン、ポリプロピレン等のフィルムが貼着され、フィルムの中央部には直線状のスリットが設けられており、内容物であるティシュペーパーは、上記フィルムのスリットを通して外部へ引出される。
【０００３】
ティシュペーパーは、多くの場合二枚一組とされ、その一組が継続してカートン内部から取出せるように交互に折り重ねられて収納され、スリットからティシュペーパー一組が引出されたときに、次のティシュペーパー一組が箱の内部からスリットに保持される位置まで引出されるように、所謂ポップアップ方式で折り畳まれている。箱の内面に貼着した上記フィルムは、外部の塵や異物に対して内容物を保護するとともに、ティシュペーパーを外部に取出す際に、フィルムのスリット間での摩擦により、所謂ポップアップしたティシュペーパーが箱の内部に落ち込むことを防ぎ、ティシュペーパーを所定位置に保持する役割を果たしている。
【０００４】
また、衛生用紙入りカートンとして特許文献１及び特許文献２に示されるような、紙箱の上下少なくとも一方の面に、衛生用紙を取出すための紙の取出口（開口部）を設けると共に箱の内面に取出口を被覆する窓貼りフィルムの貼りつけを必要としない所謂フィルムレスティシュカートンの取出口の構造を有するものが開示されている。
【０００５】
特許文献３には、最後まで一枚づゝとれる箱入りのティシュペーパーが開示されている。この箱入りのティシュペーパーは、外箱の中にティシュペーパーの最上部に箱の内面より小さめで中央にティシュペーパーの取り出し口を設けた中敷となる紙を入れるものである。
【０００６】
【特許文献１】特開２００５−２２５５６２号公報
【特許文献２】特開２０００−２５４０３５号公報
【特許文献３】特開平３−１６５７１８号公報
【発明の開示】
【発明が解決しようとする課題】
【０００７】
しかしながら、特許文献１及び特許文献２に示す衛生用紙入りカートンにおいては、取り出し口が狭くティシュ等の衛生用紙が取り出しにくいといった問題が生じていた。
【０００８】
また、特許文献３に示す最後まで一枚づゝとれる箱入りのティシュペーパーにおいて、は、外箱の中にいれるティシュペーパーの最上部に外箱の内面より小さめで中央にティシュペーパーの取り出し口を設けた中敷となる紙は、ティシュペーパー残量が少なくなると底に近い位置に落ち込んでしまい、この中敷に設けられた取出し口と、外箱に設けられた取出し口との距離が大きくなってしまう。このときにティシュペーパーが箱の中に入ってしまい、ティシュを取り出そうとして外箱の奥深くに指を入れる必要が生じて取り出すことが容易でないのみならず、外箱に設けられた取出し口で指を傷つける恐れが生じていた。
【０００９】
また、この中敷に設けられた取出し口と、外箱に設けられた取出し口との距離が大きくなってしまうことにより、衛生用紙を取り出す度に中敷が上下してティシュペーパーの折り畳み構造が崩れてしまい、スムーズな取り出しが困難となっていた。
【００１０】
本発明は、上記した従来の課題に鑑みてなされたものであり、空箱廃棄時に分別の手間を省くことが可能であることにより環境問題に配慮し、しかも衛生用紙の取り出しが容易である主としてティシュペーパーや保湿ティシュペーパー等の衛生用紙入りフィルムレスカートンを提供することを目的とする。
【課題を解決するための手段】
【００１１】
本発明者は、上記課題を解決するため、以下の構成を採用することにより上記課題を達成することを見出し、本発明を完成するに至った。即ち、本発明は下記に示す通りである。
【００１２】
［１］衛生用紙を取り出すための外箱開口部を少なくとも片面に有し、内部に収容部を有した紙製の略直方体形状の外箱と、外箱の収容部に収容された、折り畳んで交互に重ね合わされた衛生用紙と、外箱の収容部に衛生用紙の外箱開口部に面した表面を覆うようにして収容され、衛生用紙を取り出すための中敷開口部を有した中敷と、を含み、中敷の裏面の少なくとも一部において表面の平滑化処理が施されてなる衛生用紙入りフィルムレスカートン。
【００１３】
［２］衛生用紙を取り出すための外箱開口部を少なくとも片面に有し、内部に収容部を有した紙製の略直方体形状の外箱と、外箱の収容部に収容された、折り畳んで交互に重ね合わされた衛生用紙と、外箱の収容部に衛生用紙の外箱開口部に面した表面を覆うようにして収容され、衛生用紙を取り出すための中敷開口部と少なくとも外箱の長辺方向の両端において折り曲げ部とを有した中敷と、を含み、中敷は折り曲げ部により、折り畳んで交互に重ね合わされた衛生用紙における外箱の長辺方向の両端を挟持してなる衛生用紙入りフィルムレスカートン。
【００１４】
［３］中敷の裏面の少なくとも一部において表面の平滑化処理が施されてなる前記［２］に記載の衛生用紙入りフィルムレスカートン。
【００１５】
［４］折り曲げ部の外箱の長辺方向の長さが、外箱の高さに対して、１０％〜５０％の範囲である前記［２］または［３］に記載の衛生用紙入りフィルムレスカートン。
【００１６】
［５］外箱開口部の、外箱の短辺方向の最大幅が、中敷開口部の、外箱の短辺方向の最大幅より広く設けられた前記［１］〜［４］のいずれかに記載の衛生用紙入りフィルムレスカートン。
【発明の効果】
【００１７】
［１］及び［３］の構成によれば、中敷の裏面の少なくとも一部において表面の平滑化処理が施されているので、環境問題に配慮したフィルムレスでありながらも、衛生用紙がスムーズに取り出される。
【００１８】
［２］の構成によれば、中敷は折り曲げ部により、折り畳んで交互に重ね合わされた衛生用紙における外箱の長辺方向の両端を挟持しているため、環境問題に配慮したフィルムレスでありながらも、衛生用紙の取り出しを繰り返しても折り畳んで交互に重ね合わされた衛生用紙の折り畳み構造が崩れることがなく、最後まで一枚ずつ取り出すことが可能である。
【００１９】
［２］及び［４］の構成によれば、折り曲げ部を有しているため、衛生用紙の残量が少なくなっても、中敷が底に近い位置に落ち込んでしまうことがない。従って、中敷に設けられた取出し口と、外箱に設けられた取出し口との距離が一定の範囲に保たれる。このことにより、ティシュペーパーが箱の中に入ってしまうことを防ぎ、外箱に設けられた取出し口で指を傷つけることを防ぐことができる。
【００２０】
［５］の構成によれば、外箱開口部の、外箱の短辺方向の最大幅が、中敷開口部の、外箱の短辺方向の最大幅より広く設けられたため、外箱に設けられた取出し口で指を傷つけることを防ぐことができる。
【発明を実施するための最良の形態】
【００２１】
以下、本発明の実施の形態について説明するが、本発明は以下の実施の形態に限定されるものではなく、発明の範囲を逸脱しない限りにおいて、変更、修正、改良を加え得るものである。
【００２２】
以下の説明において各図中の矢印はそれぞれ外箱長辺方向３０、外箱短辺方向３１、外箱高さ方向３２を示す。
【００２３】
図１に示されるような外箱１は外箱上面２に外箱１の長辺方向３０に長く開口した外箱開口部３を有しており、この外箱開口部３が衛生用紙の取り出し口となる。図２、図３に中敷１１の一例及び他の一例を示すが、それぞれ中敷表面１２の中央付近に外箱１の長辺方向３０に長く開口した中敷開口部１３を有している。中敷１１は、外箱１と同様な更に図３に示す中敷１１は、外箱１の長辺方向３０の両端に折り曲げ部１４を備えている。
【００２４】
図４に折り畳んで交互に重ね合わされた衛生用紙２１を示す。また図５に示すように交互に重ね合わされた衛生用紙２１は、中敷１１に衛生用紙２１の外箱開口部に面した表面を覆われた状態で、外箱１の収容部４に収容される。収容した後の外箱を閉じる方法についてはどのような方法であっても構わない。図５においては、中敷１１が折り曲げ部を有したもので説明しているが、折り曲げ部がない場合でも同様である。
【００２５】
交互に重ね合わされた衛生用紙２１はティシュペーパーや保湿ティシュペーパー等の衛生用紙を二枚一組とし、その一組が継続してフィルムレスカートン内部から取出せるように交互に折り重ねられて収納され、外箱開口部から衛生用紙一組が引出されたときに、次の衛生用紙一組が中敷の下部から中敷開口部に保持される位置まで引出されるように、所謂ポップアップ方式で折り畳まれている。
【００２６】
図６は、外箱と収容された中敷の位置関係を示す説明図である。図６に示すように、外箱開口部３の直下に中敷開口部１３が位置している。なお、図６においては、中敷１１が折り曲げ部を有したもので説明しているが、折り曲げ部がない場合でも同様である。また、図７は、本発明の衛生用紙入りフィルムレスカートン５０を示す平面図である。図７に示すように、外箱開口部３は中敷開口部１３と比較して外箱１の短辺方向３１において広く設けることが取り出しやすさの点において好ましい。
【００２７】
図８、図９は、本発明の衛生用紙入りフィルムレスカートン５０の一例及び他の一例を示す。図８は中敷１１が折り曲げ部を有しない場合。図９は中敷１１が折り曲げ部１４を有する場合を示す。図８、図９はいずれも図７の平面図におけるＡ−Ａ断面図である。
【００２８】
図１０、図１１は、本発明の衛生用紙入りフィルムレスカートン５０の一例及び他の一例において、衛生用紙２２を一枚ずつ取り出す様子を説明する説明図である。図１０は中敷１１が折り曲げ部を有しない場合。図１１は中敷１１が折り曲げ部１４を有する場合を示す。
【００２９】
折り曲げ部１４を有しない中敷１１のサイズ及び、折り曲げ部１４を有した中敷１１の折り曲げ部１４を含まない部分のサイズは共に、大きさ：２４０ｍｍ×１１５ｍｍ、重さ：１５ｇである。また、折り曲げ部の長さは３０ｍｍである。また、中敷１１の材質としては、厚さ０．５ｍｍのコート白板紙を使用する。図１０において、中敷１１の裏面の少なくとも一部において表面の平滑化処理が施されることにより、取り出し方向４０に引張られた衛生用紙２２が中敷１１と接する表面において張力４１とで生じる摩擦力を抑えることができ、スムーズな取出しが可能である。
【００３０】
中敷１１の裏面の平滑化処理の例としては、中敷１１の素材であるコート白板紙の表面にニス等の滑剤となる塗料を塗工することが好ましい。裏面の平滑化処理として滑剤を塗布し、取り出される衛生用紙２２が中敷１１の裏面に接する部分であって、取り出される衛生用紙２２と、中敷開口部１３の周辺部分、中敷１１の外周部分、折り曲げ部１４が折り返されるエッジ部分等、の裏面との摩擦を少なくする部分に塗布されることが好ましい。これらの塗料としては特に限定するものではなく、例示すれば、パルミチン酸やステアリン酸のような高級脂肪酸の一価高級アルコールとのエステルであるいわゆる蝋、パルミチン酸やステアリン酸のような高級脂肪酸と一価高級アミンとのアミド、あるいは固体であるが低融点の非結晶性ポリエチレンやポリプロピレンあるいはエチレンとプロピレン共重合物、またあるいはシリコン樹脂やフッ素樹脂などを挙げることができる。
【００３１】
図１１において、中敷１１の外箱１の長辺方向３０の両端に折り曲げ部１４を有している。取り出し方向４０に引張られた衛生用紙２２に張力４１が働くと、中敷１１に対して押し上げ方向４２に持ち上げようとする力が働く。ところが、折り曲げ部１４を有しているために、折り畳んで交互に重ね合わされた衛生用紙２２に対して折り曲げ部が挟持する方向に力が加わっており、中敷１１に対して押し上げ方向４２に持ち上げようとする力に抵抗することができる。このため、衛生用紙２２を繰り返し取り出した場合であっても、中敷１１がずれにくく、スムーズな取出しが可能となる。このとき、中敷１１の裏面の少なくとも一部において表面の平滑化処理を施すことによりスムーズな取り出し効果が倍増される。
【００３２】
また、図１２に示すように中敷１１が、折り畳んで交互に重ね合わされた衛生用紙２２の外箱開口部３に面した表面をこの折り曲げ部１４を伴って覆っているために、衛生用紙の残量が少なくなっても中敷１１が外箱１の内部でずれるのを防止することができる。このため、衛生用紙２２を繰り返し取り出した場合であっても、折り畳んで交互に重ね合わされた衛生用紙２２の折り返し構造が崩れにくい。
【００３３】
折り曲げ部１４の外箱の長辺方向３０の長さが、外箱１の高さに対して、１０％〜５０％の範囲であることが好ましい。また、折り曲げ部１４の外箱の長辺方向３０の長さが、外箱１の高さに対して、２０％〜４０％の範囲であることが更に好ましい。但し、ここで言う長辺方向３０の長さとは、折り曲げ部１４を中敷１１と平行で面一な状態に伸ばした場合に計測した長辺方向３０の長さのことを言う。これらの範囲であることにより、衛生用紙残量が少なくなって中敷１１が底に近い位置に落ち込んでしまうのを防ぐことができる。更に、この中敷１１に設けられた中敷開口部１３と、外箱に設けられた取出し口となる外箱開口部３との距離を一定の範囲内に留めることができる。このため、衛生用紙が外箱の中に入ってしまい、衛生用紙を取り出そうとして外箱の奥深くに指を入れて、外箱に設けられた取出し口で指を傷つける恐れがなくなる。
【００３４】
図１３に示すように、外箱開口部３を上面と底面とで２箇所設けることに加えて、中敷１１を、折り畳んで交互に重ね合わされた衛生用紙２１の上下に２枚配置することで、外箱１の上下ともに両側から衛生用紙を取り出すこともできる。このとき、図１３に示すような、折り畳んで交互に重ね合わされた衛生用紙２１の下に配置される中敷１１について、「中敷の裏面」と言う場合には、折り畳んで交互に重ね合わされた衛生用紙２１に接する側の面を意味するものとする。即ち、図１３に示す２枚の中敷１１のうち、下に位置する中敷１１の上面のことを言う。
【００３５】
また同様にして、図１３に示すような、折り畳んで交互に重ね合わされた衛生用紙２１の下に配置される中敷１１について、「中敷が衛生用紙の外箱開口部に面した表面を覆うようにして収容される」と言う場合には、「折り畳んで交互に重ね合わされた衛生用紙２１の下面を覆うようにして収容される」ことを意味するものとする。
【産業上の利用可能性】
【００３６】
本発明の衛生用紙入りフィルムレスカートンは、空箱廃棄時に分別の手間を省くことが可能であることにより環境問題に配慮し、しかも衛生用紙の取り出しを安全で容易に行うことができる。
【図面の簡単な説明】
【００３７】
【図１】外箱の一例を示す模式的斜視図である。
【図２】中敷の一例を示す模式的斜視図である。
【図３】中敷の他の一例を示す模式的斜視図である。
【図４】折り畳んで交互に重ね合わされた衛生用紙の一例を示す模式的斜視図である。
【図５】折り畳んで交互に重ね合わされた衛生用紙と中敷とが外箱に収容される状態を示す説明図である。
【図６】外箱と収容された中敷の位置関係を示す説明図である。
【図７】本発明の衛生用紙入りフィルムレスカートンを示す平面図である。
【図８】本発明の衛生用紙入りフィルムレスカートンの一例を示す断面図である。
【図９】本発明の衛生用紙入りフィルムレスカートンの他の一例を示す断面図である。
【図１０】本発明の衛生用紙入りフィルムレスカートンの一例を示す説明図である。
【図１１】本発明の衛生用紙入りフィルムレスカートンの他の一例を示す説明図である。
【図１２】本発明の衛生用紙入りフィルムレスカートンの衛生用紙残量が少ない場合を示す説明図である。
【図１３】本発明の衛生用紙入りフィルムレスカートンの別の一例を示す断面図である。
【符号の説明】
【００３８】
１：外箱、２：外箱上面、３：外箱開口部、４：収容部、１１：中敷、１２：中敷表面、１３：中敷開口部、１４：折り曲げ部、２１：折り畳んで交互に重ね合わされた衛生用紙、２２：衛生用紙、３０：外箱長辺方向、３１：外箱短辺方向、３２：外箱高さ方向、４０：取り出し方向、４１：張力、４２：押し上げ方向、４３：折り曲げ部が挟持する方向、５０：衛生用紙入りフィルムレスカートン。
【図１】
2008239155.tif 000003
【図２】
2008239155.tif 000004
【図３】
2008239155.tif 000005
【図４】
2008239155.tif 000006
【図５】
2008239155.tif 000007
【図６】
2008239155.tif 000008
【図７】
2008239155.tif 000009
【図８】
2008239155.tif 000010
【図９】
2008239155.tif 000011
【図１０】
2008239155.tif 000012
【図１１】
2008239155.tif 000013
【図１２】
2008239155.tif 000014
【図１３】
2008239155.tif 000015